(57)【要約】【課題】常時は通常の保温具として使用でき、非常時は人体を素早くかつ安定した状態で持ち運ぶことができる、簡易構成の毛布を提供する。【解決手段】長さ１２０ｃｍ、幅８０ｃｍの大きさの平面四角形の毛布本体１２からなり、毛布本体１２の長さ方向一端側の両側縁部に、人体頭部１４ａの平均的横幅寸法より若干大きい間隔で対向して設けられた、一対の小幅スリット１６と、毛布本体１２の長さ方向他端側の両側縁部に、一対の小幅スリット１６より大きい間隔で対向して設けられた、一対の大幅スリット１８とを備えた。一対の大幅スリットは、毛布本体の側縁に沿って複数箇所に設けられてもよい。【選択図】図１
0003140437.tif 000002
【実用新案登録請求の範囲】
【請求項１】
長さ１２０ｃｍ、幅８０ｃｍの大きさの平面四角形の毛布本体からなり、
前記毛布本体の長さ方向一端側の両側縁部に、人体頭部の平均的横幅寸法より若干大きい間隔で対向して設けられた、一対の小幅スリットと、
前記毛布本体の長さ方向他端側の両側縁部に、前記一対の小幅スリットより大きい間隔で対向して設けられた、一対の大幅スリットとを備えたことを特徴とする毛布。
【請求項２】
請求項１に記載の毛布において、
前記一対の大幅スリットを、前記毛布本体の側縁に沿って任意の複数箇所に設けたことを特徴とする毛布。
【請求項３】
請求項１または２に記載の毛布において、
前記毛布本体は、防災用として難燃処理されたものであることを特徴とする毛布。
【考案の詳細な説明】
【技術分野】
【０００１】
本考案は、常時は掛け毛布として使用でき、非常時には寝たきりの病人や老人等を容易に移動できる運搬具として使用できる毛布に関する。
【背景技術】
【０００２】
毛布は、通常、人体を保温するのに掛け布団等の代わりに使用されるが、丈夫なものは屋内外で担架の代わりに使用されることもある（特許文献１参照）。
また、非常用毛布として、長さが１２０ｃｍ、幅が８０ｃｍの、所謂ひざ掛け用布程度の大きさの平面四角形をなす毛布がある。この毛布は、通常の大きさの毛布、例えば、長さ２００ｃｍ前後、幅１４０ｃｍ前後の寸法の大きさの毛布に比べるとかなりコンパクトである。しかるに、このようなコンパクトな毛布は、例えば担架の代わりに使って人体を簡易に運搬できると非常に便利である。
【特許文献１】特開２００１−１６１７４９号公報
【考案の開示】
【考案が解決しようとする課題】
【０００３】
上記のような小形の非常用毛布を担架の代わりに使って人体を運搬する場合は、次のような問題がある。すなわち、毛布の四隅部や側縁部を掴んで人体を運搬するとき、把持し難かったり、図３（ｂ）に示すように人体頭部１４ａが毛布３０で包まれて顔が隠れたりして不安定であり、安全性の点でも問題がある。このために、例えば特許文献１に示されるような種々加工を施せば高価なものになり好ましくない。
【０００４】
本考案は、上記の課題を解決するためになされたもので、常時は通常の保温具として使用でき、非常時は人体を素早くかつ安定した状態で持ち運ぶことができる、簡易構成の毛布を提供することを目的とする。
【課題を解決するための手段】
【０００５】
以下の構成はそれぞれ上記の課題を解決するための手段である。
〈構成１〉
長さ１２０ｃｍ、幅８０ｃｍの大きさの平面四角形の毛布本体からなり、上記毛布本体の長さ方向一端側の両側縁部に、人体頭部の平均的横幅寸法より若干大きい間隔で対向して設けられた、一対の小幅スリットと、上記毛布本体の長さ方向他端側の両側縁部に、上記一対の小幅スリットより大きい間隔で対向して設けられた、一対の大幅スリットとを備えたことを特徴とする毛布。
【０００６】
毛布本体が通常の毛布と比べてコンパクトで、少なくとも２対の手差しスリットを設けただけの簡易構成であることから安価に製造できる。また、一対の小幅スリットが人体頭部の横幅より若干大きい間隔で対向して設けられていることにより、担架代わりに使用したとき毛布本体をしっかり把持することができ、しかも被運搬人の顔が隠れないで安定した状態で持ち運びができる。
【０００７】
〈構成２〉
構成１に記載の毛布において、上記一対の大幅スリットを、上記毛布本体の側縁に沿って任意の複数箇所に設けたことを特徴とする毛布。
【０００８】
持ち運ぶ人体の重量に自在に対応できる。
【０００９】
〈構成３〉
構成１または２に記載の毛布において、上記毛布本体は、防災用として難燃処理されたものであることを特徴とする毛布。
【００１０】
難燃性を備えるので人体を安全に運搬でき、しかも、丈夫で保温力があるので防災用毛布として好適である。
【考案を実施するための最良の形態】
【００１１】
以下、本考案の実施の形態を実施例毎に詳細に説明する。
【実施例１】
【００１２】
図１は実施例１の毛布を示す平面図、図２は図１の一部を示す斜視図である。
この実施例の毛布は、長さ１２０ｃｍ、幅８０ｃｍの大きさの平面四角形の毛布本体１２により構成されている。必要に応じて難燃処理されている。難燃処理は、例えば、織る前の繊維を防火剤に浸漬することにより行なったり、難燃アクリル系繊維のような難燃性に優れた繊維を使用する等の周知の手段を行なってもよい。
【００１３】
図１は、毛布本体１２を平面に広げ、この上に人体１４を寝かせた状態を示している。毛布本体１２がコンパクトなので、人体１４が成人の場合は脚部１４ｃの一部が毛布本体１２からはみ出るが、後述する病院あるいは災害地等での非常時の運搬に使用する際は支障がない。
【００１４】
図１に示すように、毛布本体１２の長さ方向一端側の両側縁部に、人体頭部１４ａの平均的横幅寸法より若干大きい間隔で対向する一対の小幅スリット１６が設けられている。人体頭部１４ａの平均的横幅寸法より若干大きい間隔とは、図３（ａ）に示すように、人体１４を寝かせた状態で一対の小幅スリット１６にそれぞれ手を差し込んだとき、それらの手が人体頭部１４ａに直接触れない程度に接近した間隔（長さ）をいう。
【００１５】
毛布本体１２の長さ方向他端側の両側縁部に、一対の小幅スリット１６より大きい間隔で対向する一対の大幅スリット１８が設けられている。一対の大幅スリット１８の間隔は、人体腰部１４ｂや人体脚部１４ｃの横幅より大きめの間隔（長さ）である。一対の大幅スリット１８は、毛布本体１２の側縁に沿って任意の複数箇所に設けられてもよい。こうすれば、持ち運ぶ人体の重量等に自在に対応できる。
【００１６】
小幅スリット１６と大幅スリット１８は、図２に示すようにスリット周囲を糸でかがり、その上を布で覆ってから、その布をスリットの周囲に縫い付けて簡単にほぐれないように補強されていることが好ましい。
【００１７】
図４は病院等での使用例を示している。
ベット２０に寝たきりの病人（図示せず）を他のベット２２に移す場合に、ベット２０に毛布本体１２を敷きこの上に病人を寝かせた状態で、一対の小幅スリット１６と大幅スリット１８とにそれぞれ手を差し込んで持上げて他のベット２２に移すようにする。
【００１８】
このとき、毛布本体１２がコンパクトなので、寝たきりの病人を過度に動かさなくとも毛布本体１２をベット２０上に簡単にかつ素早く敷くことができる。また、毛布本体１２がコンパクトであることから、小幅スリット１６に手指を差し込み毛布本体１２の端縁部を手のひらに丸め込んで把持したとき、程よい太さとなる。
【００１９】
本考案によれば、毛布本体１２を平面に広げこの上に人体を寝かせた状態で、各小幅スリット１６と大幅スリット１８とにそれぞれ手を差し込んで持上げたとき、一対の小幅スリット１６が人体頭部１４ａの横幅より若干大きい間隔で対向して設けられていることにより、図３（ａ）に示されるように人体頭部１４ａが下がらず、顔が隠れないで安定した状態で運ぶことができる。
【００２０】
また、毛布本体１２がコンパクトであることにより、図３（ａ）に示されるように一対の小幅スリット１６に手を差し込んで毛布本体１２の縁部を握りしめたとき、その縁部が手のひらで程よい太さに丸められるので、把持し易い感覚が得られる。
【図面の簡単な説明】
【００２１】
【図１】実施例１の毛布を示す平面図。
【図２】図１の一部を示す斜視図。
【図３】人体を運搬しているときの頭部の状態を示す説明図。
【図４】病院等での使用例を示す斜視図。
【符号の説明】
【００２２】
１２  毛布本体
１４  人体
１４ａ  人体頭部
１４ｂ  人体腰部
１４ｃ  人体脚部
１６  小幅スリット
１８  大幅スリット
２０  ベット
２２  ベット
【図１】
0003140437.tif 000003
【図２】
0003140437.tif 000004
【図３】
0003140437.tif 000005
【図４】
0003140437.tif 000006